(57)【要約】【課題】  操作部材を有する自転車変速操作装置において、操作部材の操作方向をライダーの好みに合わせることができるようにする。【解決手段】  リア変速操作部１６は、自転車に装着可能な装着部３０と、巻取体３２と、位置保持・解放機構３４と、第１操作部材３６とを備えている。巻取体は、第１平面に沿ってケーブル引張り方向とケーブル解除方向とに移動可能に装着部に装着されたものである。位置保持・解放機構は、複数の位置決め歯６２を有し巻取体に連動する位置決め体５４、及び位置決め歯に係合する係合位置と位置決め歯と係合しない解放位置との間を第１平面に平行な面に沿って移動する位置決め爪５６を有し、巻取体を複数の変速位置に対応した複数の保持位置のいずれかひとつに選択的に保持する機構である。第１操作部材は、装着部に第１方向および第２方向に移動自在に装着され、第１方向及び第２方向への移動に応じて位置保持・解放機構の位置決め爪を動作させて巻取体をケーブル解除方向にそれぞれ移動させる部材である。【選択図】      図３
2007076510.tif 000002
【特許請求の範囲】
【請求項１】
自転車用変速操作装置であって、
自転車に装着可能な装着部と、
第１平面に沿ってケーブル引張り方向とケーブル解除方向とに移動可能に前記装着部に装着されたケーブル係止体と、
複数の位置決め歯を有する位置決め体、及び前記位置決め歯に係合する係合位置と前記位置決め歯と係合しない解放位置との間を前記第１平面に平行な面に沿って移動する位置決め爪を有し、前記ケーブル係止体を複数の変速位置に対応した複数の保持位置のいずれかひとつに選択的に保持する位置保持・解放機構と、
前記装着部に第１方向および第２方向に移動自在に装着され、前記第１方向及び前記第２方向への移動に応じて前記位置保持・解放機構の前記位置決め爪を動作させて前記ケーブル係止体を前記ケーブル解除方向にそれぞれ移動させる第１操作部材と、
を備えた自転車用変速操作装置。
【請求項２】
前記第１操作部材は、中立位置を有し、前記中立位置から前記第１方向および前記第２方向に移動する、請求項１に記載の自転車用変速操作装置。
【請求項３】
前記第１操作部材は、
前記第１及び第２方向に移動自在な入力部材と、
前記入力部材により移動され前記位置決め爪を前記係合位置から前記解放位置に移動させる駆動部材と、
を有する、請求項２に記載の自転車用変速操作装置。
【請求項４】
前記入力部材は、前記中立位置から前記第１及び第２方向を含む複数の方向に傾倒自在であり、
前記駆動部材は、
前記入力部材と前記位置決め爪とを連結して前記入力部材の傾倒に応じて前記位置決め爪を前記解放位置に移動させるリンク部材を有する、請求項３に記載の自転車用変速操作装置。
【請求項５】
前記入力部材と前記駆動部材は一体的に形成され、前記駆動部材は空間を隔てて配置された２つの動作部を有し、前記第１操作部材の第１及び第２方向のいずれの操作によっても前記動作部が前記位置決め爪を前記解放位置に移動させる、請求項３に記載の自転車用変速操作装置。
【請求項６】
前記位置保持・解放機構は、
前記位置決め歯に前記位置決め爪と異なる位置で係合する接触位置と前記位置決め歯と係合しない離反位置との間を前記第１平面に平行な面に沿って移動し、かつ前記位置決め爪が前記解放位置に配置されたとき、前記接触位置に移動し、前記位置決め爪が前記係合位置に配置されたとき、前記離反位置に移動する一気回転防止爪をさらに有する、請求項１から５のいずれか１項に記載の自転車用変速操作装置。
【請求項７】
前記一気回転防止爪と前記位置決め爪とは一体形成されている、請求項６に記載の自転車用変速操作装置。
【請求項８】
前記装着部に移動自在に装着され、その移動に応じて前記位置保持・解放機構を動作させて前記ケーブル係止体を前記ケーブル巻取方向に移動させる第２操作部材をさらに備える、請求項１から７のいずれか１項に記載の自転車用変速操作装置。
【発明の詳細な説明】
【技術分野】
【０００１】
本発明は、変速操作装置、特に、自転車のフレームに装着され、変速ケーブルにより連結された変速装置の複数の変速位置をいずかに変更する変速操作を行うための自転車用変速操作装置に関する。
【背景技術】
【０００２】
自転車には、内装変速装置や外装変速装置などの変速装置が搭載されているものがある。これらの変速装置の変速操作を行うために、変速ケーブルを介して変速装置と連結された変速操作装置が用いられている。従来の変速操作装置として、巻取操作部材と解除操作部材とを有する操作部材式の変速装置が知られている。操作部材式の変速操作装置には、巻取操作部材と解除操作部材とを同方向に揺動操作させる技術（たとえば、特許文献１参照）と、異なる方向に揺動操作させる技術（たとえば、特許文献２参照）とが知られている。前者の従来技術では、巻取操作部材と解除操作部材とを親指で押す方向に操作すると、変速ケーブルが巻き取られたり解除されたりして変速できる。また、後者の従来技術では、巻取操作部材を親指で押す方向に操作すると変速ケーブルが１段ずつ巻き取り方向に引っ張られて変速され、人差し指で手前側に引っ張る方向に操作すると変速ケーブルが解除方向に戻って変速される。
【特許文献１】特許第２７３０５５５号明細書
【特許文献２】特許第３０６５６５６号明細書
【発明の開示】
【発明が解決しようとする課題】
【０００３】
前記従来の技術では、いずれも、巻取操作部材の操作方向は親指で押す方向である。また、解除操作部材は、前者の技術では、操作方向は巻取操作部材と同方向であり、後者の技術では巻取操作部材と異なる方向である。これらの巻取操作部材や解除操作部材の操作方向は、ライダーの好みにより変更したい場合がある。しかし、前記従来の技術では、いずれも操作部材の操作方向は一定の方向に制限され、ライダーの好みに対応することができない。
【０００４】
本発明の課題は、操作部材を有する自転車変速操作装置において、操作部材の操作方向をライダーの好みに合わせることができるようにすることにある。
【課題を解決するための手段】
【０００５】
発明１に係る自転車用変速操作装置は、自転車に装着可能な装着部と、ケーブル係止体と、位置保持・解放機構と、第１操作部材とを備えている。ケーブル係止体は、第１平面に沿ってケーブル引張り方向とケーブル解除方向とに移動可能に装着部に装着されたものである。位置保持・解放機構は、複数の位置決め歯を有する位置決め体、及び位置決め歯に係合する係合位置と位置決め歯と係合しない解放位置との間を第１平面に平行な面に沿って移動する位置決め爪を有し、ケーブル係止体を複数の変速位置に対応した複数の保持位置のいずれかひとつに選択的に保持する機構である。第１操作部材は、装着部に第１方向および第２方向に移動自在に装着され、第１方向及び第２方向への移動に応じて位置保持・解放機構の位置決め爪を動作させてケーブル係止体をケーブル解除方向にそれぞれ移動させる部材である。
【０００６】
この変速操作装置では、第１操作部材を第１方向又は第２方向に移動させると、いずれの方向に移動させても第１平面に平行な面に沿って位置決め爪が動作してケーブル係止体をケーブル解除方向に移動させる。ここでは、第１操作部材の第１方向及び第２方向のいずれの方向の移動によってもケーブル係止体をケーブル解除方向に移動させることができるので、操作部材の操作方向をライダーの好みに合わせることができるようになる。また、ケーブル係止体と位置決め爪とが平行に配置されるので、変速操作装置をコンパクトに配置できる。
【０００７】
発明２に係る自転車用変速操作装置は、発明１に記載の装置において、第１操作部材は、中立位置を有し、中立位置から第１方向および第２方向に移動する。この場合には、第１操作部材を中立位置からいずれの方向に操作してもケーブル解除動作を行える。
【０００８】
発明３に係る自転車用変速操作装置は、発明２に記載の装置において、第１操作部材は、第１及び第２方向に移動自在な入力部材と、入力部材により移動され位置決め爪を係合位置から解放位置に移動させる駆動部材と、を有する。この場合には、入力部材を第１方向及び第２方向のいずれに移動させても、駆動部材が位置決め爪を係合位置から解放位置に移動させてケーブル解除操作を行える。
【０００９】
発明４に係る自転車用変速操作装置は、発明３に記載の装置において、入力部材は、中立位置から第１及び第２方向を含む複数の方向に傾倒自在であり、駆動部材は、入力部材と位置決め爪とを連結して入力部材の傾倒に応じて位置決め爪を解放位置に移動させるリンク部材を有する。この場合には、入力部材の複数の方向のいずれに傾倒させてもリンク部材を介してケーブル解除操作を行える。
【００１０】
発明５に係る自転車用変速操作装置は、発明３に記載の装置において、入力部材と駆動部材は一体的に形成され、駆動部材は空間を隔てて配置された２つの動作部を有し、第１操作部材の第１及び第２方向のいずれの操作によっても動作部が位置決め爪を解放位置に移動させる。この場合には、駆動部材と入力部材とを一体形成し、２つの動作部を設けて２つの方向で位置決め爪を移動させるようにしたので、第１操作部材の構成が簡素になる。
【００１１】
発明６に係る自転車用変速操作装置は、発明１から５のいずれかに記載の装置において、位置保持・解放機構は、位置決め歯に位置決め爪と異なる位置で係合する接触位置と位置決め歯と係合しない離反位置との間を第１平面に平行な面に沿って移動し、かつ位置決め爪が解放位置に配置されたとき、接触位置に移動し、位置決め爪が前記係合位置に配置されたとき、離反位置に移動する一気回転防止爪をさらに有する。この場合には、一気回転防止爪により位置決め爪が解放位置に配置されても、一気回転防止爪により位置決め体が過度にケーブル解除方向に移動しなくなる。
【００１２】
発明７に係る自転車用変速操作装置は、発明１から６のいずれかに記載の装置において、一気回転防止爪と位置決め爪とは一体形成されている。この場合には、位置決め爪と一気回転防止爪とを簡素な構成で実現できる。
【００１３】
発明８に係る自転車用変速操作装置は、発明１から７のいずれかに記載の装置において、装着部に移動自在に装着され、その移動に応じて位置保持・解放機構を動作させてケーブル係止体をケーブル巻取方向にそれぞれ移動させる第２操作部材をさらに備える。この場合には、第２操作部材によりケーブル係止体をケーブル巻取方向にも移動させることができる。
【発明の効果】
【００１４】
本発明によれば、第１操作部材の第１方向及び第２方向のいずれの方向の移動によってもケーブル係止体をケーブル解除方向に移動させることができるので、操作部材の操作方向をライダーの好みに合わせることができるようになる。また、ケーブル係止体と位置決め爪とが平行に配置されるので、変速操作装置をコンパクトに配置できる。
【発明を実施するための最良の形態】
【００１５】
図１において、本発明の一実施形態が搭載された自転車１は、サスペンションフォーク３及びサスペンションフォーク３に上部に固定されたハンドルバー４を有するフレーム２を備えている。フレーム２の中間部には、外装変速装置を構成するフロントディレーラ１７が装着され、フレーム２の後端部には、リアディレーラ１８が装着されている。フロントディレーラ１７は、たとえばフレーム２のシートチューブ２ｂに下部に配置されており、たとえば３枚のスプロケットを有するフロントチェーンホイール１９ａのいずれかのスプロケットにチェーン２３を案内する。リアディレーラ１８は、フレーム２のチェーンスティ２ｃの後端部に配置されており、たとえば、８枚のスプロケットを有するリアチェーンホイール１９ｂのいずれかのスプロケットにチェーン２３を案内する。フロントディレーラ１７及びリアディレーラ１８は、フロント及びリア変速ケーブル２５，２６を介してフロント及びリア変速操作部（変速操作装置の一例）１５，１６に連結されている。
【００１６】
フロント及びリア変速操作部１５，１６は、ハンドルバー４において、ブレーキレバー１２，１１の内側にブレーキレバー１２，１１と近接して配置されている。フロント変速操作部１５とリア変速操作部１６とは、鏡像関係にあるものであり、変速段数を除いて略同様な構成及び動作を行うため、以降の構成及び動作の説明ではリア変速操作部１６について説明する。
【００１７】
リア変速操作部１６は、図２に示すように、フロントブレーキレバー１１の内側でハンドルバー４に装着可能な装着部３０を有している。なお、図２ではリア変速操作部１６を下側から見ている。また、装着部３０がフロントブレーキレバー１１のブラケットに一体的に固定されていてもよい。
【００１８】
また、リア変速操作部１６は、図３及び図４に示すように、変速ケーブル２６のケーブル引張り方向とケーブル解除方向とに移動可能に装着部３０に装着された巻取体（ケーブル係止体の一例）３２と、巻取体３２をリアディレーラ１８の複数の変速位置に対応した複数の保持位置のいずれかひとつに選択的に保持する位置保持・解放機構３４と、ケーブル解除操作を行うための第１操作部材３６と、ケーブル巻取操作を行うための第２操作部材３８とを有している。
【００１９】
装着部３０は、図３から図５に示すように、ハンドルバー４に締め付けボルトにより装着可能な、たとえば金属板製のブラケット４０と、ブラケット４０の下部に取り付けられる上カバー４２と、ブラケット４０の上部に取り付けられる下カバー４４とを有している。ブラケット４０は、巻取体３２が配置される平面４０ａと、回動軸４６が回転不能に装着される開口４０ｂとを有している。回動軸４６は、ブラケット４０の開口４０ｂを貫通して上方に延びている。回動軸４６の先端は、固定ボルト４１により固定され、第２操作部材３８を固定している。また、ブラケットには、リア変速ケーブル２６のアウターケーシング２６ｂ（図１）を係止するためのアウター係止部２７がねじ込まれる雌ねじ部４０ｃが形成されている。
【００２０】
巻取体３２は、ブラケット４０の平面４０ａと平行な第１平面（Ｐ１）に沿って移動可能である。具体的には、巻取体３２は、ブッシュ５２を介して回動軸４６にケーブル巻取方向とケーブ解除方向とに移動自在（回動自在）に装着されている。巻取体３２は、リア変速ケーブル２６のインナーケーブル２６ａ（図１）の先端に固定されたケーブルニップル２６ｃを係止するインナー係止部３２ａと、インナーケーブル２６ａを巻き取るためのケーブル巻取溝３２ｂとを外周面に有している。巻取体３２は、捩じりコイルばね等のばね部材５０によりケーブル解除方向（図５反時計回り）に付勢されている。ばね部材５０は、一端が巻取体３２に係止され他端が後述するブラケット４０に係止されている。巻取体３２の上面には、位置保持・解放機構３４の後述する位置決め体５４を連動して回動させるための係合突起３２ｃが形成されている。
【００２１】
位置保持・解放機構３４は、たとえば８つの位置決め歯６２及び送り歯６４を有し、巻取体３２と連動する位置決め体５４と、位置決め歯６２に係合する図６Ａに示す係合位置と、位置決め歯６２と係合しない図６Ｂに示す解放位置との間を第１平面に平行な面（Ｐ２）に沿って移動する位置決め爪５６を有している。また、位置保持・解放機構３４は、位置決め歯６２に位置決め爪５６と異なる位置で係合する図６Ｂに示す接触位置と、位置決め歯６２と係合しない図６Ａに示す離反位置との間を第１平面に平行な面（Ｐ３）に沿って移動する一気回転防止爪５７と、送り歯６４に係合する図５に二点鎖線に示す送り位置と、図５に実線で示す離反する解除位置とに移動する送り爪５９と、回動軸４６に回転不能に装着された保持板６１とを有している。
【００２２】
位置決め体５４は、巻取体３２の係合突起３２ｃに係合する係合孔５４ａを有しており、巻取体３２と一体的に動く。位置決め歯６２及び送り歯６４は、リアディレーラ１８の変速位置に応じた数だけ設けられており、位置決め体５４の外周面に径方向に突出して形成されている。位置決め体５４は、巻取体３２とともに、ばね部材５０によりケーブル解除方向（図５反時計回り）に付勢されている。位置決め歯６２及び送り歯６４は、リアディレーラ１８の変速位置に応じて設定されたケーブル移動量に基づいて間隔が定められている。
【００２３】
位置決め爪５６及び一気回転防止爪５７は、ブラケット４０に立設された揺動軸６５に揺動自在に装着された揺動体５５に一体形成されている。揺動体５５は、位置決め爪５６が係合位置に配置されるように、捩じりコイルばね等のばね部材５８により図５時計回りに付勢されている。位置決め爪５６は、位置決め歯６２の係止面６２ａに接触して、反時計回りに付勢された位置決め体５６のケーブル解除方向の回転を阻止する。一気回転防止爪５７は、接触位置に移動すると、図６Ｂに示すように、位置決め爪５６が接触していた位置決め歯６２ｂより一つだけケーブル解除方向下流側の位置決め歯６２ｃに接触し、位置決め爪５６が離反した後に位置決め体５４がケーブル解除方向に一気に連続して回転するのを防止する。また、一気回転防止爪５７が接触位置にあるとき、位置決め爪５６は、図６Ｂに示すように、係合していた位置決め歯６２ｂを乗り越えた位置に配置される。
【００２４】
送り爪５９は、第２操作部材３８に立設された揺動軸６６に揺動自在に装着されている。送り爪５９は、送り爪５９が送り位置に配置されるように捩じりコイルばねなどのばね部材６７により図５時計回りに付勢されている。
【００２５】
保持板６１は、回動軸４６に回転不能に装着され揺動軸６５の上端にスナップリング６３により固定されている。保持板６１には、第２操作部材３８が後述する操作開始位置にあるとき、送り爪５９を解除位置側に配置するための当接部６１ａが送り爪５９に向けて突出して形成されている。したがって、送り爪５９は、第２操作部材３８が操作開始位置にあるとき、常に解除位置に配置される。そして、第２操作部材３８が操作開始位置から操作終了位置に向けて操作され当接部６１ａを送り爪５９の先端が超えると、ばね部材６７に付勢されて送り位置に向けて揺動する。
【００２６】
第１操作部材３６は、図２及び図４に二点鎖線で示す第１及び第２方向を含む複数の方向に移動自在な入力部材６８と、入力部材により移動され位置決め爪５６を係合位置から解放位置に移動させる駆動部材７０とを有している。入力部材６８は、図６に示すように、ジョイスティック形状の部材であり、つまみ部６８ａ、つまみ部６８ａの基部に形成された円板部６８ｂとを有している。円板部６８ｂの外周面は、断面が半円形に形成された曲面で構成されている。円板部６８ｂは、ブラケット４０に固定されたケース部材６９に周囲を覆われている。ケース部材６９の内側には、円板部６８ｂを傾動自在に案内する断面が円弧の碗状の案内面６９ａが形成されている。また、入力部材６８は、ケース部材６９の内部に配置され円板部６８ｂと案内面６９ａの先端部との間に圧縮状態で配置されたたコイルばね形状のばね部材７１により図６Ａに示す中立位置に向けて付勢されており、中立位置から第１方向及び第２方向を含む、たとえば４つの方向に傾動自在である。
【００２７】
駆動部材７０は、入力部材６８の円板部６８ｂの中心部に自在継手７２ａにより連結された第１リンク部材７０ａと、第１リンク部材７０ａに回動自在に連結された第２リンク部材７０ｂとを有している。第２リンク部材７０ｂは、揺動体５５に自在継手７２ｂを介して連結されている。
【００２８】
このような構成の第１操作部材３６では、入力部材のつまみ部６８ａを手で一方向に傾けると、円板部６８ｂが、案内面６９ａの基部を中心にして揺動する。円板部６８ｂが揺動すると、その中心に連結された駆動部材７０が引っ張られ、揺動体５５が図６反時計回りに揺動し、位置決め爪５６を係合位置から解放位置に移動させる。また、操作を止めて手を離すと、入力部材６８はばね部材７１により中立位置に戻る。このとき、揺動体５５は、ばね部材５８により位置決め爪５６が係合位置に配置されるように付勢されているので、揺動体５５は、時計回りに揺動して、再度位置決め爪５６が係合位置に配置される。
【００２９】
第２操作部材３８は、図２及び図３に示すように、図２に実線で示す操作開始位置と一点鎖線で示す操作終了位置とに揺動自在に回動軸４６に装着されている。第２操作部材３８は、渦巻きばねなどのばね部材７５により、操作開始位置側に付勢されている。第２操作部材３８の一端側には、つまみ部３８ａが設けられている。第１操作部材３８の揺動中心を挟んで他端側には、送り爪５９を支持する揺動軸６６が立設されている。
【００３０】
なお、フロント変速操作部１５は、リア変速操作部１６と鏡像関係にある同様な構造であり、リアブレーキレバー１２の内側に設けられている。
【００３１】
次にリア変速操作部１６の変速動作について説明する。
【００３２】
ケーブル解除方向の動作は以下の通りである。
【００３３】
図６Ａから図６Ｃに示すように、第１操作部材３６の入力部材３８のつまみ部６８ａが操作されると、円板部６８ｂが、案内面６９ａの基部を中心にして揺動する。円板部６８ｂが揺動すると、その中心に連結された駆動部材７０が引っ張られ、図６Ａに示す位置決め爪５６が係合位置ある状態から揺動体５５が図６Ａ反時計回りに揺動し、位置決め爪５６が係合位置から図６Ｂに示す解放位置に移動して位置決め体５４から離れる。この結果、位置決め体５４がばね部材５０によりケーブル解放方向に付勢されているため、位置決め体５４がケーブル解放方向に回動する。しかし、位置決め爪が解放位置に移動すると、揺動体５５に位置決め爪５６と一体形成された一気回転防止爪５７が接触位置に移動する。このため、位置決め体５４は、位置決め爪５６が係合していた位置決め歯６２ｂを位置決め爪５６が乗り越えた位置で止まる。この状態で、操作を止めてつまみ部６８ａから手を離すと、ばね部材７１により入力体６８は、中立位置に戻る。このとき、揺動体５５は、ばね部材５８により位置決め爪５６が係合位置に配置されるように付勢されているので、揺動体５５は、図６Ｃに示すように、時計回りに揺動して、再度位置決め爪５６が係合位置に配置される。この結果、位置決め体５４は位置決め歯６２の一歯分ケーブル解放方向に回動して止まり、巻取体３２も一変速位置分ケーブル解放方向に回動する。
【００３４】
ここでは、第１操作部材３６の第１方向及び第２方向のいずれの方向の移動によっても巻取体３２をケーブル解除方向に移動させることができるので、第１操作部材３６の操作方向をライダーの好みに合わせることができるようになる。また、巻取体３２と位置決め爪５６とが平行に配置されるので、変速操作部１６をコンパクトに配置できる。
【００３５】
ケーブル巻取方向の動作は以下の通りである。
【００３６】
第２操作部材３８を操作開始位置から操作終了位置の方向に操作すると、当接部６１ａを先端が通過したときに、図７Ａに示すように、送り爪５９がばね部材６７により付勢されて送り位置に移動して送り歯６４に係合する。この結果、第２操作部材３８の揺動により位置決め体５４がケーブル巻取方向（図５時計回り）に回動する。位置決め体５４が回動するまでは、位置決め爪５６は係合位置にあるが、第２操作部材３８の揺動に応じて、図７Ｂに示すように、位置決めされた位置決め歯６２ｂの隣の位置決め歯６２ｃに押圧されて解放位置側に移動する。このとき、駆動部材７０の第１及び第２リンク部材７０ａ，７０ｂは、連結部分で折れ曲がってたるむので、入力部材３８が動くことはない。そして、第２操作部材３８を操作終了位置の方向にさらに揺動させると、位置決め歯６２ｃが位置決め爪５６を乗り越え、図７Ｃに示すように位置決め爪５６が位置決め歯６２ｃとの係合位置に移動する。この結果、位置決め体５４は位置決め歯６２の一歯分ケーブル巻取方向に回動して止まり、巻取体３２も一変速位置分ケーブル巻取方向に回動する。図７Ｃに示す状態から、さらに第２操作部材３８を操作終了位置に向けて揺動させると、図７Ａ〜Ｃに示した動作と同様な動作を繰り返し、さらに一歯分ケーブル巻取方向に巻取体を回動することができる。
【００３７】
＜他の実施形態＞
（ａ）前記実施形態では、位置保持・解放機構３４は、１回の操作により位置決め歯６２の一歯分ずつ変速するように構成したが、位置保持・解放機構が、第１操作部材の第１方向および第２方向の少なくともいずれか一方への１回の操作により巻取体の保持位置を複数位置変更可能であってもよい。この場合には、１回の操作で複数位置変更可能であるので、複数の変速位置にわたるケーブル解除操作を簡単に行える。
【００３８】
（ｂ）前記実施形態では、第１操作部材の入力部材と駆動部材とを別体にしたが一体でもよい。
【００３９】
図８において、位置保持・解除機構１３４の第１操作部材１３６は、回動軸４６に回動自在に支持され、中立位置からたとえば時計回りの第１方向と反時計回りの第２方向とに揺動自在である。第１操作部材１３６は、２つのコイルばね等のばね部材１７１ａ，１７１ｂにより中立位置に付勢されている。第１操作部材１３６は、入力部材１６８と、入力部材１６８と回動軸４６を挟んで逆側に配置され入力部材１６８と一体形成された駆動部材１７０とを有している。入力部材１６８にはつまみ部１６８ａが設けられている。駆動部材１７０は、空間を隔てて配置され２またに分かれた先端に配置された２つの動作部１７０ａ，１７０ｂを有している。動作部１７０ａ，１７０ｂは、揺動体１５５に向けて折り曲げて形成されている。揺動体１５５には、位置決め爪１５６と一気回転防止爪１５７とを有しているとともに、動作部１７０ａ，１７０ｂに各別に係合する１対の係合部１５５ａ，１５５ｂを有している。揺動体１５５は、位置決め歯１５６が係合位置に配置されるように付勢されている。
【００４０】
このような構成の位置保持・解除機構１３４では、第１操作部材１３６を矢印で示す第１（又は第２）方向に操作すると、動作部１７０ａ（又は１７０ｂ）が係合部１５５ａ（又は１５５ｂ）の外周部に接触して揺動体１５５を反時計回りに揺動する。そして、操作を止めると第１操作部材１３６が中立位置に戻り、前記実施形態と同様に位置決め体５４が一歯分ケーブル解除方向に回転する。
【００４１】
図９では、図８のものと第１操作部材２３６の入力部材２６８は同様な構造である。駆動部材２７０は、１対のアーム形状の動作部２７０ａ，２７０ｂを有している。揺動体２５５は、位置決め爪２５６と一気回転防止爪２５７に加えて、１対の係合ピン２５５ａ，２５５ｂを有している。係合ピン２５５ａ，２５５ｂは、動作部２７０ａ，２７０ｂの内側面にそれぞれ係合するように動作部２７０ａ，２７０ｂに向けて突出して形成されている。
【００４２】
このような構成の位置保持・解除機構２３４では、第１操作部材２３６を矢印で示す第１（又は第２）方向に操作すると、動作部２７０ａ（又は２７０ｂ）が係合ピン２５５ａ（又は２５５ｂ）の外周面に接触して揺動体２５５を反時計回りに揺動する。そして、操作を止めると第１操作部材２３６が中立位置に戻り、前記実施形態と同様に位置決め体５４が一歯分ケーブル解除方向に回転する。
【００４３】
図１０では、図８のものと第１操作部材３３６の入力部材３６８は同様な構造であるが、回動軸４６と異なり、第１操作部材３３６は、位置決め体５４の径方向外方に配置された回動軸１４６に揺動自在に装着されている。駆動部材３７０は、円弧状に２またに分かれて形成された１対の動作部３７０ａ，３７０ｂを有している。揺動体３５５は、位置決め爪３５６と一気回転防止爪３５７に加えて、１本の係合ピン３５５ａを有している。係合ピン３５５は、動作部３７０ａ，３７０ｂの双方に係合するように動作部３７０ａ，３７０ｂに向けて突出して形成されている。
【００４４】
このような構成の位置保持・解除機構３３４では、第１操作部材３３６を矢印で示す第１（又は第２）方向に操作すると、動作部３７０ａ（又は３７０ｂ）が係合ピン３５５ａの外周面に接触して揺動体３５５を反時計回りに揺動する。そして、操作を止めると第１操作部材３３６が中立位置に戻り、前記実施形態と同様に位置決め体５４が一歯分ケーブル解除方向に回転する。
【００４５】
このような入力部材と駆動部材とが一体形成された構造は前記３つの形態に限定されない。
【００４６】
（ｃ）前記実施形態では、フロントディレーラとリアディレーラとを有する外装変速装置の変速操作装置について例示したが、内装変速ハブを有する内装変速装置の変速操作装置にも本発明を適用できる。
【００４７】
（ｄ）前記実施形態では、リア変速操作部１６の装着部３０がリアブレーキレバー１２と別体であったが、装着部がブレーキレバーのブラケットに一体的に固定されていてもよい。
【００４８】
（ｅ）入力部材と駆動部材とが別体である前記実施形態では、駆動部材を２つのリンク部材で構成したが、リンク部材に代えてワイヤーやロープなどの緊張かつ弛緩可能な部材を用いてもよい。
【図面の簡単な説明】
【００４９】
【図１】本発明の一実施形態が装着された自転車の側面図。
【図２】本発明の一実施形態によるリア変速操作部の底面図。
【図３】その模式的分解斜視図。
【図４】その縦断面図。
【図５】位置決め体と位置決め爪と送り爪とを示す平面拡大図。
【図６Ａ】ケーブル解除動作を示す模式図。
【図６Ｂ】ケーブル解除動作を示す模式図。
【図６Ｃ】ケーブル解除動作を示す模式図。
【図７Ａ】ケーブル巻取動作を示す模式図。
【図７Ｂ】ケーブル巻取動作を示す模式図。
【図７Ｃ】ケーブル巻取動作を示す模式図。
【図８】他の実施形態の図６Ａに相当する図。
【図９】さらに他の実施形態の図６Ａに相当する図。
【図１０】さらに他の実施形態の図６Ａに相当する図。
【符号の説明】
【００５０】
１５，１６  フロント及びリア変速操作部
３０  装着部
３２  巻取体（ケーブル係止部の一例）
３４  位置保持・解放機構
３６，１３６，２３６，３３６  第１操作部材
３８  第２操作部材
５４  位置決め体
５６  位置決め爪
５７  一気回転防止爪
６８，１６８，２６８，３６８  入力部材
７０，１７０，２７０，３７０  駆動部材
７０ａ，７０ｂ  第１及び第２リンク部材
１７０ａ，１７０ｂ，２７０ａ，２７０ｂ，３７０ａ，３７０ｂ  動作部
【図１】
2007076510.tif 000003
【図２】
2007076510.tif 000004
【図３】
2007076510.tif 000005
【図４】
2007076510.tif 000006
【図５】
2007076510.tif 000007
【図６Ａ】
2007076510.tif 000008
【図６Ｂ】
2007076510.tif 000009
【図６Ｃ】
2007076510.tif 000010
【図７Ａ】
2007076510.tif 000011
【図７Ｂ】
2007076510.tif 000012
【図７Ｃ】
2007076510.tif 000013
【図８】
2007076510.tif 000014
【図９】
2007076510.tif 000015
【図１０】
2007076510.tif 000016